(57)【要約】【課題】雨水の浸透機能に優れた植栽基盤の施工方法を提供する。【解決手段】地盤改良層１２の上に設けられる植栽基盤１４を施工する方法であって、地盤改良層１２を構成する地盤材料の少なくとも一部を改質することによって、地盤改良層１２の透水性能を向上するステップと、透水性能を向上した地盤改良層１２の上に植栽基盤１４を施工するステップとを備えるようにする。【選択図】図１
2020127393.tif 000002
【特許請求の範囲】
【請求項１】
地盤改良層の上に設けられる植栽基盤を施工する方法であって、
地盤改良層を構成する地盤材料の少なくとも一部を改質することによって、地盤改良層の透水性能を向上するステップと、
透水性能を向上した地盤改良層の上に植栽基盤を施工するステップとを備えることを特徴とする植栽基盤の施工方法。
【請求項２】
地盤改良層の少なくとも一部を砕いた後、砕いた部分の地面を敷き均すことによって、地盤改良層の透水性能を向上することを特徴とする請求項１に記載の植栽基盤の施工方法。
【請求項３】
地盤改良層の少なくとも一部を掘削し、掘削した部分を地盤改良層よりも透水性の高い材料に置換することによって、地盤改良層の透水性能を向上することを特徴とする請求項１または２に記載の植栽基盤の施工方法。
【発明の詳細な説明】
【技術分野】
【０００１】
本発明は、雨水の浸透機能に優れた植栽基盤の施工方法に関するものである。
【背景技術】
【０００２】
従来、植栽工事は、躯体・建築工事の施工後に着工している。植栽予定地は、仮設道路や建設機械足場等に利用することを目的として、地盤に固化材を添加する地盤改良が実施されることが多い。地盤改良を実施すると地盤の透水性が低下し、下層地盤へ雨水が浸透しにくくなって緑地の浸透機能が低下するため、植栽予定地には地盤改良を実施しないことが望ましい。しかし、限られた敷地面積での施工や工期短縮を図る目的などから、植栽予定地にも地盤改良を行っているのが現状である。
【０００３】
一方、地盤改良による補強構造と地表面の水はけを確保するための排水構造が知られている（例えば、特許文献１を参照）。特許文献１の技術は、地盤の表層部を改良してなる地盤改良体の上面に排水溝を形成するとともに、地盤改良体の上側に透水層を設けてなるものである。これによれば、降雨等により地表面から透水層に染み込んだ水は排水溝から地盤改良体の所定箇所の集水部に集めて排水される。地中に埋設される地盤改良体の上面に排水溝を形成しているため、駐車場等の地表面に排水溝を敷設する必要がなくなるとともに、地表勾配を設けることも不要になる。
【先行技術文献】
【特許文献】
【０００４】
【特許文献１】特開２００７−２１７８８５号公報
【発明の概要】
【発明が解決しようとする課題】
【０００５】
ところで近年、グリーンインフラの要素技術の一つとして、レインガーデン（雨水浸透型緑地）に注目が集まっており、植栽基盤の浸透機能の向上が重要な課題となっている。図４に示すように、植栽基盤１を地盤改良層２の上に盛土して構築する場合、地盤改良層２の透水性が低いと、雨水が地盤改良層２の下の下層地盤３に浸透せず、浸透機能の低い緑地となってしまう。
【０００６】
本発明は、上記に鑑みてなされたものであって、雨水の浸透機能に優れた植栽基盤の施工方法を提供することを目的とする。
【課題を解決するための手段】
【０００７】
上記した課題を解決し、目的を達成するために、本発明に係る植栽基盤の施工方法は、地盤改良層の上に設けられる植栽基盤を施工する方法であって、地盤改良層を構成する地盤材料の少なくとも一部を改質することによって、地盤改良層の透水性能を向上するステップと、透水性能を向上した地盤改良層の上に植栽基盤を施工するステップとを備えることを特徴とする。
【０００８】
また、本発明に係る他の植栽基盤の施工方法は、上述した発明において、地盤改良層の少なくとも一部を砕いた後、砕いた部分の地面を敷き均すことによって、地盤改良層の透水性能を向上することを特徴とする。
【０００９】
また、本発明に係る他の植栽基盤の施工方法は、上述した発明において、地盤改良層の少なくとも一部を掘削し、掘削した部分を地盤改良層よりも透水性の高い材料に置換することによって、地盤改良層の透水性能を向上することを特徴とする。
【発明の効果】
【００１０】
本発明に係る植栽基盤の施工方法によれば、地盤改良層の上に設けられる植栽基盤を施工する方法であって、地盤改良層を構成する地盤材料の少なくとも一部を改質することによって、地盤改良層の透水性能を向上するステップと、透水性能を向上した地盤改良層の上に植栽基盤を施工するステップとを備えるので、地盤改良層の透水性能が向上し、雨水が下層地盤に浸透しやすくなる。したがって、雨水の浸透機能に優れた植栽基盤を提供することができるという効果を奏する。
【００１１】
また、本発明に係る他の植栽基盤の施工方法によれば、地盤改良層の少なくとも一部を砕いた後、砕いた部分の地面を敷き均すことによって、地盤改良層の透水性能を向上するので、砕いて地面を敷き均すという比較的簡易な方法で地盤改良層の透水性能を向上することができるという効果を奏する。
【００１２】
また、本発明に係る他の植栽基盤の施工方法によれば、地盤改良層の少なくとも一部を掘削し、掘削した部分を地盤改良層よりも透水性の高い材料に置換することによって、地盤改良層の透水性能を向上するので、掘削して透水性の高い材料に置換するという比較的簡易な方法で地盤改良層の透水性能を向上することができるという効果を奏する。
【図面の簡単な説明】
【００１３】
【図１】図１は、本発明に係る植栽基盤の施工方法の実施の形態１を示す概略側断面図である。
【図２】図２は、本発明に係る植栽基盤の施工方法の実施の形態２を示す概略側断面図である。
【図３】図３は、飽和透水試験の結果を示すグラフ図である。
【図４】図４は、従来の植栽基盤の施工方法を示す図である。
【発明を実施するための形態】
【００１４】
以下に、本発明に係る植栽基盤の施工方法の実施の形態を図面に基づいて詳細に説明する。なお、この実施の形態によりこの発明が限定されるものではない。
【００１５】
（基本構成）
本発明の基本構成は、下層地盤の上の地盤改良層を構成する地盤材料の少なくとも一部を改質することによって、地盤改良層の透水性能を向上するステップと、透水性能を向上した地盤改良層の上に植栽基盤を施工するステップとを備えるというものである。以下では、地盤改良層の透水性能を向上するステップの実施の形態を説明する。
【００１６】
（実施の形態１）
まず、実施の形態１について説明する。
【００１７】
図１（１）に示すように、下層地盤１０の上に地盤改良層１２が形成されているものとする。本実施の形態１は、図１（２）に示すように、地盤改良層１２を砕いた後、砕いた部分の地面を敷き均すことによって、地盤改良層１２の透水性能を向上するものである。その後、透水性能を向上した地盤改良層１２の上に盛土等をして植栽基盤１４を施工する。
【００１８】
砕いて地面を敷き均す部分は、所定の粒径範囲（例えば粒径２ｍｍ程度以下）の固化した土壌を対象とすることが好ましい。また、砕いて地面を敷き均す部分は、地盤改良層１２の全部が好ましいが、下層地盤１０への雨水浸透機能を向上できれば一部でもよい。
【００１９】
本実施の形態１によれば、地盤改良層１２を砕いて地面を敷き均すという比較的簡易な方法で地盤改良層１２の透水性能を向上することができる。この結果、雨水が下層地盤１０に浸透しやすくなるので、雨水の浸透機能に優れた植栽基盤１４を得ることができる。
【００２０】
（実施の形態２）
次に、実施の形態２について説明する。
【００２１】
図２（１）に示すように、下層地盤１０の上に地盤改良層１２が形成されているものとする。本実施の形態２は、図２（２）に示すように、地盤改良層１２を掘削して、下層地盤１０に達する複数の貫通孔１６を形成し、各貫通孔１６に対して、地盤改良層１２よりも透水性の高い材料１８を充填することによって、地盤改良層１２の透水性能を向上するものである。その後、透水性能を向上した地盤改良層１２の上に盛土等をして植栽基盤１４を施工する。
【００２２】
貫通孔１６に充填する材料としては、例えば、地盤改良前の土壌を用いることができるが、本発明はこれに限るものではなく、地盤改良層１２よりも透水性の高い材料であって、周辺環境に影響を生じさせないものであればいかなる材料でもよい。
【００２３】
このように、本実施の形態２では、地盤改良層１２を部分的に透水性の高い材料１８に置換することによって、地盤改良層１２の透水性能を向上する。掘削して置換する部分は、図の例のように平面的に離隔した複数の位置が好ましいが、平面的に離隔しない一箇所でもよい。掘削形成する孔は、図の例のように地盤改良層１２から下層地盤１０に達する貫通孔１６でもよいし、斜め方向に延びる孔でもよい。
【００２４】
本実施の形態２によれば、地盤改良層１２を掘削して透水性の高い材料に置換するという比較的簡易な方法で地盤改良層１２の透水性能を向上することができる。この結果、雨水が下層地盤１０に浸透しやすくなるので、雨水の浸透機能に優れた植栽基盤１４を得ることができる。
【００２５】
（本発明の効果の検証）
次に、本発明の効果の検証について説明する。
本検証は、地盤改良層の透水性に関する実験を行って、セメント系固化材の添加による透水性の違いと、本発明の適用による透水性の向上効果を検証したものである。
【００２６】
実験では、地盤改良前の土壌として２ｍｍ目のふるいを通過した赤土を使用し、地盤改良層として、赤土にセメント系固化材を０、１００、２００ｋｇ／ｍ３の３パターンの量を添加、攪拌したものを使用した。そして、各試料を湿潤密度が１．３ｇ／ｃｍ３になるように１００ｍｌの円筒管（底面積１９．６ｃｍ２）に手詰めし、セメント系固化材の添加量０、１００ｋｇ／ｍ３のものは３個ずつ、添加量２００ｋｇ／ｍ３のものは９個作成した。手詰め後の試料は室温２０℃、湿度９５％の恒温恒湿槽で７日間養生した。養生後、セメント系固化材の添加量２００ｋｇ／ｍ３の試料は３個ずつ、次のＡ、Ｂ、Ｃの処理を行った。
【００２７】
［Ａ処理］：無処理
［Ｂ処理］：円筒管から養生後の試料を出し、粒径が５ｍｍ程度になるようにコテ等で砕いた後、円筒管に詰めた。
［Ｃ処理］：円筒管内の試料に対して、ドリルで直径５ｍｍの円形の穴を３箇所あけ、各穴に２ｍｍ目のふるいを通過した赤土を詰めた。
以上の処理を行った後、それぞれの試料で飽和透水試験を実施した。
【００２８】
図３に、固化材添加後の飽和透水係数（平均透水係数：単位ｍ／ｓ）の算出結果を示す。この図に示すように、固化材の添加量が２００ｋｇ／ｍ３で、養生後にＡ処理を行った試料が最も低い値を示し、固化材添加後Ｃ処理を行った試料が最も高い値を示した。Ａ処理の試料よりもＢ、Ｃ処理の試料は有意に飽和透水係数が高くなった。
【００２９】
Ｂ処理の試料は、固化材添加前よりも高い透水性が得られた。透水性は土壌の粒径の大きさが大きく影響する。固化した土壌を砕くことによって固化前の土壌より粒径組成が変化し、透水性が向上したと考えられる。なお、礫や砂等、粒径の大きい土壌を多く含んでいると飽和透水係数が高くなる傾向があるため、礫を粒径５ｍｍ未満に細かく砕いても飽和透水係数の改善効果は低いと考えられる。
【００３０】
Ｃ処理の試料は、円筒管の土壌を合計３％入れ替えることで透水性の改善を試みたものである。計算値では４．６２×１０−８ｍ／ｓの固化材添加土壌に７．２８×１０−６ｍ／ｓの固化材添加前の土壌を３％詰めなおすことで、２．１９×１０−７ｍ／ｓに改善することが予測されたが、実験では４．０６×１０−７ｍ／ｓの結果が得られた。実際に施工する際にも計算値程度の改善効果は十分期待できると考えられる。このように、Ｃ処理によれば、透水性を向上することができる。
【００３１】
なお、このＣ処理では、固化材の添加によって飽和透水係数が低下した粒径２ｍｍ以下の固化した赤土を地盤改良後の土壌と見立て、この土壌にあけた穴に、固化材を添加する前の土壌（２ｍｍ目のふるいを通過した赤土）を詰めている。したがって、穴に詰める材料を砂等のより透水性の高い材料に変更して実験を行えば浸透機能のさらなる改善が期待できる。
【００３２】
以上説明したように、本発明に係る植栽基盤の施工方法によれば、地盤改良層の上に設けられる植栽基盤を施工する方法であって、地盤改良層を構成する地盤材料の少なくとも一部を改質することによって、地盤改良層の透水性能を向上するステップと、透水性能を向上した地盤改良層の上に植栽基盤を施工するステップとを備えるので、地盤改良層の透水性能が向上し、雨水が下層地盤に浸透しやすくなる。したがって、雨水の浸透機能に優れた植栽基盤を提供することができる。
【００３３】
また、本発明に係る他の植栽基盤の施工方法によれば、地盤改良層の少なくとも一部を砕いた後、砕いた部分の地面を敷き均すことによって、地盤改良層の透水性能を向上するので、砕いて地面を敷き均すという比較的簡易な方法で地盤改良層の透水性能を向上することができる。
【００３４】
また、本発明に係る他の植栽基盤の施工方法によれば、地盤改良層の少なくとも一部を掘削し、掘削した部分を地盤改良層よりも透水性の高い材料に置換することによって、地盤改良層の透水性能を向上するので、掘削して透水性の高い材料に置換するという比較的簡易な方法で地盤改良層の透水性能を向上することができる。
【産業上の利用可能性】
【００３５】
以上のように、本発明に係る植栽基盤の施工方法は、地盤改良層の上に植栽を構築する植栽工事に有用であり、特に、レインガーデンなどの雨水浸透機能に優れた緑地用の植栽基盤を施工するのに適している。
【符号の説明】
【００３６】
１０  下層地盤
１２  地盤改良層
１４  植栽基盤
１６  貫通孔
１８  材料
【図１】
2020127393.tif 000003
【図２】
2020127393.tif 000004
【図３】
2020127393.tif 000005
【図４】
2020127393.tif 000006